(57)【要約】【目的】より精度よくゼロクロス点を検出することができるゼロクロス検出装置と、この検出したゼロクロス点を用いて安定した定着制御を行うことができる定着装置及びそれを備えた画像形成装置を提供することを目的とする。【構成】交流電源の波高値を検出する第１の検出手段と、前記交流電源が所定の値となるタイミングを検出する第２の検出手段と、前記第１の検出手段によって検出される前記波高値と、前記第２の検出手段によって検出される前記タイミングから、前記交流電源のゼロクロス点を判定する判定手段とを備えた。【選択図】        図３
2018151584.tif 000002
【特許請求の範囲】
【請求項１】
交流電源の波高値を検出する第１の検出手段と、
前記交流電源が所定の値となるタイミングを検出する第２の検出手段と、
前記第１の検出手段によって検出される前記波高値と、前記第２の検出手段によって検出される前記タイミングから、前記交流電源のゼロクロス点を判定する判定手段と、
を有することを特徴とするゼロクロス検出装置。
【請求項２】
前記第２の検出手段によって前記交流電源が前記所定の値となるタイミングが検出される間隔と、前記第１の検出手段によって検出される前記波高値とに基づいて、前記第２の検出手段によって検出される前記タイミングから前記ゼロクロス点までの時間を算出する算出手段を更に有し、
前記判定手段は、前記第２の検出手段によって前記所定の値が検出されるタイミングから前記算出手段によって算出される前記ゼロクロス点までの時間が経過するタイミングを前記ゼロクロス点と判定する
ことを特徴とする請求項１に記載のゼロクロス検出装置。
【請求項３】
前記第１の検出手段は、前記第２の検出手段によって前記所定の値となるタイミングが検出されてから、次に前記所定の値となるタイミングが検出されるまでの間の前記波高値を検出する
ことを特徴とする請求項１または２に記載のゼロクロス検出装置。
【請求項４】
請求項１乃至３のいずれか１項に記載のゼロクロス検出装置と、
前記交流電源から供給される電力により発熱する熱源を有し、シート上にトナー像を定着する定着手段と、
前記ゼロクロス検出装置によって検出される前記ゼロクロス点に基づいて、前記定着手段に供給する電力を制御する制御手段と、
を有することを特徴とする定着装置。
【請求項５】
前記制御手段は、前記ゼロクロス点と、前記熱源を点灯する複数の点灯パターンに基づいて前記熱源を制御する
ことを特徴とする請求項４に記載の定着装置。
【請求項６】
前記熱源の温度を検出する温度検出手段を更に有し、
前記制御手段は、前記複数の点灯パターンから、前記温度検出手段によって検出される温度に基づいて前記熱源の点灯パターンを決定する
ことを特徴とする請求項５に記載の定着装置。
【請求項７】
シート上に画像を形成する画像形成手段と、
請求項４乃至６のいずれか１項に記載の定着装置と、
を備えることを特徴とする画像形成装置。
【発明の詳細な説明】
【技術分野】
【０００１】
本発明は、ゼロクロス信号を検出するゼロクロス検出装置と、ゼロクロス信号を用いてシートに転写されたトナー像を加熱定着する定着装置と、この定着装置を装置本体に備えた画像形成装置とに関する。
【背景技術】
【０００２】
従来、複写機などの画像形成装置等に備えられる定着装置において、転写されたトナー像をシート上に加熱定着するために定着ユニットの温調制御を行っている。この温調制御では、商用電源から供給される電圧のゼロクロス点に対応するパルス信号であるゼロクロス信号に基づいて位相制御が行われる場合がある。この位相制御では、ゼロクロス信号に基づいて供給電力のデューティ比を制御することによって、定着ユニットの熱源の温度を制御している。そのため、安定した温調制御を行うためには、ゼロクロス点を精度良く検出することが重要となる。
【０００３】
特許文献１では、ゼロクロス信号のゼロクロス点を高精度に検出するために、遅延の度合いが異なるトリガ信号を発生させ、このトリガ信号によって負荷を駆動した際の検知電流値が予め定められた閾値以上となるタイミングをゼロクロス点と判定し、この判定によって得られる遅延量に基づいて位相制御を行う構成が開示されている。
【先行技術文献】
【特許文献】
【０００４】
【特許文献１】特開２０１４−１４９３８８号公報
【発明の概要】
【発明が解決しようとする課題】
【０００５】
しかしながら、特許文献１のように遅延量の異なるトリガ信号に基づいてゼロクロス点を判定する場合、電源電圧や周波数が変動してしまうと、それに伴い実際のゼロクロス点も変動してしまうため、実際のゼロクロス点と判定したゼロクロス点とに誤差が生じる場合があった。
【０００６】
そこで本発明は、上記の点に鑑み、より精度よくゼロクロス点を検出することができるゼロクロス検出装置と、この検出したゼロクロス点を用いて安定した定着制御を行うことができる定着装置及びそれを備えた画像形成装置を提供することを目的とする。
【課題を解決するための手段】
【０００７】
交流電源の波高値を検出する第１の検出手段と、前記交流電源が所定の値となるタイミングを検出する第２の検出手段と、前記第１の検出手段によって検出される前記波高値と、前記第２の検出手段によって検出される前記タイミングから、前記交流電源のゼロクロス点を判定する判定手段と、を備えた。
【発明の効果】
【０００８】
本発明によれば、より精度良くゼロクロス点を検出することができる。
【図面の簡単な説明】
【０００９】
【図１】本実施形態の画像係止絵装置の概略断面図
【図２】交流電源の電圧及び周波数の変動による閾値電圧検出タイミングの変動の説明図
【図３】タイミングチャート
【図４】ブロック図
【図５】温調制御時のＣＰＵの制御動作を示すフローチャート
【発明を実施するための形態】
【００１０】
以下にて、本発明を実施するための形態について、図面を参照して説明する。尚、以下の実施形態は特許請求の範囲に係る本発明を限定するものでなく、また本実施形態で説明されている特徴の組み合わせの全てが本発明の解決手段に必須のものとは限らない。
【００１１】
＜第１の実施形態＞
以下、本実施形態における画像形成装置を図に基づいて説明をする。
【００１２】
図１は、画像形成装置の構成を示す概略断面図である。画像形成装置Ａは、画像形成装置本体１００と画像形成装置本体１００の上部に設けられた画像読取装置１１０とを備えている。画像形成装置本体１００には、図１の下側（シート搬送方向上流）から上側（シート搬送方向下流）に向かって順に、シート給送部１０、画像形成部２０、定着部３０、シート排出部４０が設けられている。また、画像形成部２０、定着部３０の右側には、シート再給送部５０が設けられている。
【００１３】
シート給送部１０では、給送カセット１１や手差しトレイ１６に積載されたシートＰを画像形成部２０へ給送する。
【００１４】
シート検知センサＳ１は、給送カセット１１にシートＰが収納されていることを検知するセンサである。
【００１５】
給送カセット１１に収納されたシートＰは、ピックアップローラ１２が回転することによって分離ローラ対１３へ給送される。シートＰが重送している場合は、正転ローラと反転ローラとからなる分離ローラ対１３によって１枚に分離され、実線で示す給送パスＰＳ１に搬送される。
給送パスＰＳ１に搬送されたシートＰはさらに給送ローラ対１４によって搬送され、回転を停止しているレジストローラ対１５のニップに先端が倣うことでシートＰの斜行が矯正される。レジ前センサＳ２は、シートＰの先端がレジストローラ対１５のニップに到達するタイミングを検知する。
【００１６】
手差しトレイ１６に載置されたシートＰを給送する場合は、給送ローラ１７および分離パッド１８によってシートを１枚に分離して機内に引き込む。そして、供給ローラ対１９によって給送ローラ対１４に搬送され、レジストローラ対１５でシートＰの斜行が矯正される。斜行が矯正されたシートＰは、所定のタイミングで回転するレジストローラ対１５によって画像形成部２０に搬送される。
【００１７】
画像形成部２０では、感光ドラム２１がその表面を帯電ローラ２２によって均一に帯電されている。レーザユニット２３から画像情報に対応したレーザ光が照射される。感光ドラム２１のレーザ光が照射された部分は、帯電ローラ２２によって帯電されていた電荷が除去され、画像情報に対応した静電潜像が形成される。ここで形成された静電潜像は、現像ローラ２４によって現像剤が付着されることで、現像剤像として可視化される。
【００１８】
この現像剤像は、感光ドラム２１の回転によって転写ニップ部Ｎ１に搬送される。このタイミングに合わせてレジストローラ対１５からシートＰが転写ニップ部Ｎ１に搬送される。搬送されたシートＰは、転写ニップ部Ｎ１において感光ドラム２１と接触する転写ローラ２５に挟持搬送されながら、転写ローラ２５によって感光ドラム２１に形成された現像剤像が転写される。
【００１９】
なお、レーザユニット２３から照射されるレーザ光は、画像読取装置１１０によって読み取られた原稿の画像データや、外部から送信された画像データに基づいて制御される。
【００２０】
次に、現像剤像が形成されたシートＰは、定着部３０へと搬送される。定着部３０では、内部に配置されたハロゲンランプ等の熱源により所定の定着温度に加熱されたアルミローラ等で構成される定着ローラ３１と、定着ローラ３１に接触して所定の圧力で定着ローラ３１を加圧する加圧ローラ３２とによって定着ニップ部Ｎ２が形成されている。現像剤像が形成されたシートＰは、定着ニップ部Ｎ２に送り込まれて、定着ローラ３１と加圧ローラ３２とで挟持搬送され加熱加圧されることで、現像剤像がシートＰ上に定着される。定着センサＳ３は、シートＰの先端が定着ニップ部Ｎ２を抜けたことを検知する。
【００２１】
なお、定着部３０は、定着ローラ３１で加熱する加熱ローラ方式の代わりに、セラミックヒータ等の熱源を端部レスフィルムを介して加圧ローラ３２が加圧することで定着ニップ部Ｎ２を形成し、定着ニップ部Ｎ２でシートＰを挟持搬送しながら加熱加圧するオンデマンド定着方式を用いても良い。
【００２２】
次に、現像剤像が定着されたシートＰは、シート排出部４０へと搬送され、排出ローラ対４１によって排出トレイ４２へ排出される。
【００２３】
シートＰの両面に画像を形成する場合は、１面目に画像形成されたシートＰの先端が定着センサＳ３を抜けた後、シートＰの後端が排出ローラ対４１を抜ける前に排出ローラ対４１を一旦停止させ、さらに排出ローラ対４１を逆回転させることで、シート再給送部５０へ搬送する。
【００２４】
シート再給送部５０へ搬送されたシートＰは、再給送ローラ対５１、５２によって破線で示す再給送パスＰＳ２を搬送され、シートＰが反転されて、再給送ローラ対５３によってレジストローラ対１５に搬送される。そして、レジストローラ対１５によって斜行が矯正された後、転写ニップ部Ｎ１に搬送されることで、シートＰの２面目に現像剤像が形成される。その後は、１面目に画像形成した時と同様に定着ニップ部Ｎ２を搬送されることで現像剤像がシートＰに定着され、両面に画像が形成されたシートＰは排出ローラ対４１によって排出トレイ４２へ排出される。
【００２５】
シート給送部１０、および、シート再給送部５０は、画像形成装置本体１００に対して開閉できるようになっており、画像形成装置１００の内部で紙ジャムが発生した際は、ユーザによる開閉動作によって、紙ジャムを取り除くことが出来る。
【００２６】
図２は、交流電源の電圧及び周波数が変動した際の閾値電圧検出タイミングからゼロクロス点までの時間変動の説明図である。図２（Ａ）は、電源電圧が変動した際の閾値電圧検出タイミングからゼロクロス点までの時間変動の説明図である。図２（Ｂ）は、周波数が変動した際の閾値電圧検知タイミングからゼロクロス点までの時間変動の説明図である。
【００２７】
図２（Ａ）に示すように、電源電圧が変動すると、波高値が変動することによって閾値電圧Ｖｔが検出されるタイミングが変化してしまう。ここで、電圧が高くなるように変動した場合に、閾値電圧Ｖｔが検出されるタイミングからゼロクロス点までの時間をａとし、電圧が低く変動した場合に閾値電圧Ｖｔが検出されるタイミングからゼロクロス点までの時間をｂとすると、ａ＜ｂの関係となる。
【００２８】
このように、電圧が高く変動するほど、閾値電圧Ｖｔが検出されるタイミングからゼロクロス点までの時間が短くなり、電圧が低く変動するほど、閾値電圧Ｖｔが検出されるタイミングからゼロクロス点までの時間が長くなる。
【００２９】
また、図２（Ｂ）に示すように、交流電源の周波数が変動すると、電圧の周期が変動することによって閾値電圧Ｖｔが検出されるタイミングが変化してしまう。ここで、周波数が高くなるように変動した場合に閾値電圧Ｖｔが検出されるタイミングからゼロクロス点までの時間をｃとし、周波数が低くなるように変動した場合に閾値電圧Ｖｔが検出されるタイミングからゼロクロス点までの時間をｄとすると、ｃ＜ｄの関係となる。
【００３０】
このように、周波数が高く変動するほど、閾値電圧Ｖｔが検出されるタイミングからゼロクロス点までの時間が短くなり、周波数が低く変動するほど、閾値電圧Ｖｔが検出されるタイミングからゼロクロス点までの時間が長くなる。
【００３１】
そのため、閾値電圧Ｖｔを基準として電圧が０Ｖとなるゼロクロス点を判定しようとすると、電源電圧の変動や周波数の変動を考慮しなければ正確なゼロクロス点を検出することができない。
【００３２】
そこで、本実施形態では、検出される電圧の波高値と、閾値電圧が検出されるタイミングからゼロクロス点を算出することで、電源電圧や周波数が変動した場合であっても、精度良くゼロクロス点を検出することができる構成とした。
【００３３】
以下では、その具体的な構成について図を用いて説明する。
まず、図３を用いてゼロクロス点の検出方法について説明する。
図３は、検出されるゼロクロス点に基づいて、定着ローラ３１の熱源であるヒータの点灯タイミングを示すタイミングチャートである。
【００３４】
まず、本実施形態では、閾値電圧Ｂが検出されてから次に閾値電圧Ｂが検出されるまでの間を電源の１周期時間Ｔｗとして算出する。
【００３５】
詳しくは、供給される電源電圧が閾値電圧Ｂとなり、閾値電圧検出信号が検出される第１タイミング２０１からカウントをスタートし、次に電源電圧が閾値電圧Ｂとなり、閾値電圧検出信号が検出される第２タイミング２０２までを電源の１周期時間Ｔｗとする。
【００３６】
そして、次に、その１周期時間Ｔｗの間で最も電圧が高くなるタイミング２０３の電圧を波高値Ａと算出する。
そして、上述した電源電圧の１周期時間Ｔｗ及び波高値Ａを用いて下記公式から得られる閾値電圧検出第２タイミング２０２からゼロクロス点までの時間Ｔ２を算出する。
（公式）
T2 = arc sin(B/A) ×Tw/2π
そして、閾値電圧検出第２タイミング２０２から、上述の公式で求められた時間Ｔ２遅延させた時間を、ゼロクロス点と判定する。
【００３７】
これにより、電源電圧の変動に伴って波高値が変動し、閾値電圧Ｂを下回るタイミングが変動したとしても、正確にゼロクロス点を判定することができる。また、周波数の変動に伴って電圧の周期が変動し、閾値電圧Ｂを下回るタイミングが変動したとしても、正確にゼロクロス点を判定することができる。
【００３８】
そして、上述の構成により求められたゼロクロス点に基づいて、定着ローラ３１の熱源であるヒータの点灯制御を行う。詳しくは、上述の構成により求められたゼロクロス点から、位相制御分遅延させたタイミング２０４に基づいてヒータＯＮ信号を出力することでヒータを点灯させ、ヒータの温調制御を行う。
【００３９】
これにより、ゼロクロス点を精度良く検出することで、定着部３０の温調制御を適切に行うことができる。
【００４０】
次に、図４、図５を用いて本実施形態における定着部３０の温調制御構成について説明する。
図４は、本実施形態における定着部３０の温調制御構成を示すブロック図である。
図５は、本実施形態における定着部３０の温調制御時のＣＰＵ３１７の制御動作を示すフローチャートである。
【００４１】
制御基板３１６に設けられたＣＰＵ３１７は、定着ローラ３１の熱源であるヒータ３１３の温調制御を行う。
また、制御基板３１６に設けられたＲＯＭ３１８には、ＣＰＵ３１７によって使用される各種データが保存される。
【００４２】
装置に入力された交流電源３０１は、波高値検知回路３０２を介して波高値が検出され、ＡＣ＿ＶＯＬＴＡＧＥ信号として制御基板３１６に入力される。
【００４３】
また、波高値検知回路３０２を通った交流電源は、閾値電圧検知回路３２０に入力されることで、抵抗３０４，３０５によって電流が制限されて、フォトカプラ３０３のダイオードに電流が流れる。
【００４４】
このとき、交流電源３０１の電圧や周波数が変動した場合、フォトカプラ３０３のダイオードに流れる電流量は変化し、ダイオードに流れる電流量の変動によってフォトカプラ３０３のトランジスタ側に流れる電流量が変動する。
【００４５】
そのため、交流電源がある一定電圧以下になると、フォトカプラ３０３のダイオードに流れる電流量が低下し、電源電圧Ｖｂから抵抗３０６によって制限された電流量をフォトカプラ３０３のトランジスタが流せなくなることで、フォトカプラ３０３のトランジスタのコレクタ電圧が上昇する。
また、交流電源がある一定電圧以上になるとフォトカプラ３０３のダイオードに流れる電流量が上昇し、フォトカプラ３０３のトランジスタに流れる電流量も増加することで、フォトカプラ３０３のトランジスタのコレクタ電圧が減少する。
【００４６】
このときのフォトカプラ３０３のトランジスタのコレクタ電圧は、閾値電圧検知信号として制御基板３１６に入力される。
【００４７】
ＣＰＵ３１７は、入力された閾値電圧検知信号とＡＣ＿ＶＯＬＴＡＧＥ信号とに基づいてゼロクロス点の算出を行う。尚、このゼロクロス点の算出は、上述した公式１を用いて行なう。
【００４８】
そして、ＣＰＵ３１７はヒータ３１３のＯＮ／ＯＦＦを行うため、算出されたゼロクロス点と、ＲＯＭ３１８内に保存されたヒータ３１３の点灯パターンに基づいて、ＨＥＡＴＥＲ＿ＯＮ信号を出力する。
【００４９】
出力されたＨＥＡＴＥＲ＿ＯＮ信号はトランジスタ３０８のベースに入力され、トランジスタ３０８が動作することにより、抵抗３０７により電流制限された電流がフォトトライアック３１０のダイオードに流れる。
フォトトライアック３１０のダイオードに電流が流れると、フォトトライアック３１０のトライアックが動作し、トライアック３０９のゲートに交流電源３０１を抵抗３１１，３１２で分圧した電圧が印加され、その分圧した電圧がある一定電圧以上となることで、トライアック３０９が動作する。
トライアック３０９が動作することによって、ヒータ３１３に電力が加わり、ヒータ３１３の温度が上昇する。
【００５０】
そして、ヒータ３１３の温度をサーミスタ３１４にて受け、電源電圧Ｖｃをサーミスタ３１４と抵抗３１５にて分圧した値をＴｈｅｒｍｉｓｔｏｒ信号として制御基板３１６に入力することで、ＣＰＵ３１７は、サーミスタ３１４の抵抗値変動に基づいてヒータ３１３の温度を検出可能となっている。
【００５１】
これにより、ＣＰＵ３１７は、Ｔｈｅｒｍｉｓｔｏｒ信号によって検出されたヒータ３１３の温度に基づいて供給電力を決定し、ＲＯＭ３１８内に保存された点灯パターンとに基づいて、次回のヒータ３１３の点灯パターンを選定することができる。
【００５２】
次に、本実施形態における定着部３０の温調制御動作について、説明をする。
図５は、本実施形態における定着部３０の温調制御時のＣＰＵ３１７の制御動作を示すフローチャートである。
【００５３】
不図示の操作部を介してユーザによる画像形成動作開始の指示を受け付けると、ＣＰＵ３１７は、閾値電圧検知回路３２０によって、装置本体に入力される交流電源３０１がある一定電圧以下（本実施例では、閾値電圧Ｂ以下）となる閾値電圧検知信号が検出されたか否かを判定する（Ｓ５０１）。
【００５４】
ここで、閾値電圧検知信号が検出されない場合（Ｓ５０１のＮｏ）は、検知されるまで待機する。
【００５５】
閾値電圧検知信号が検出される場合（Ｓ５０１のＹｅｓ）、ＣＰＵ３１７は、閾値電圧検知信号が検出されたタイミングから、制御基板３１６内の不図示のカウンタを用いて、カウントを開始する。（Ｓ５０２）
そして、ＣＰＵ３１７は、波高値検知回路３０２から出力されて制御基板３１６に入力されたＡＣ＿ＶＯＬＴＡＧＥ信号から、交流電源３０１の波高値Ａを検出する。（Ｓ５０３）
次に、ＣＰＵ３１７は、閾値電圧検知回路３２０によって、交流電源３０１が再び閾値電圧Ｂ以下となる閾値電圧検知信号が検出されたか否かを判定する。（Ｓ５０４）
ここで、閾値電圧検知信号が検出されない場合（Ｓ５０４のＮｏ）は、検出されるまで待機する。閾値電圧検知信号が検出される場合（Ｓ５０４のＹｅｓ）は、Ｓ５０２で開始したカウントを停止し、Ｓ５０１で閾値電圧検知信号が検出されてからＳ５０４で閾値電圧検知信号が検出されるまでのカウントＴｗを不図示のメモリに保存する。（Ｓ５０５）
そして、ＣＰＵ３１７は、Ｓ５０４で閾値電圧検知信号が検出されたタイミングから、新たにカウントを開始する。（Ｓ５０６）
次に、ＣＰＵ３１７は、前述した公式に基づいて、Ｓ５０３で取得した波高値Ａと、Ｓ５０５でメモリに保存したカウントＴｗから、閾値電圧検知信号が検出されてからゼロクロス点に到達するまでの遅延時間Ｔ２を算出する。（Ｓ５０７）
ＣＰＵ３１７は、サーミスタ３１４の抵抗値変動に基づいて、定着ヒータ３１３の温度を検出する。（Ｓ５０９）
その後、ＣＰＵ３１７は、Ｓ５０９で検出された定着ヒータ３１３の温度に基づいて供給電力を決定し、ＲＯＭ３１８内に保存された点灯パターンから、次の定着ヒータ３１３の点灯パターンを選定する。（Ｓ５１０）
そして、ＣＰＵ３１７は、Ｓ５０７で算出された遅延時間Ｔ２と、Ｓ５１０で選定された点灯パターンに基づいて、Ｓ５０６でカウントを開始した時間から、定着ヒータ３１３の点灯開始タイミングになったか否かを判定する。（Ｓ５１１）
ここで、定着ヒータ３１３の点灯開始タイミングとなっていない場合（Ｓ５１１のＮｏ）、ＣＰＵ３１７は、点灯開始タイミングとなるまで待機する。定着ヒータ３１３の点灯開始タイミングとなった場合（Ｓ５１１のＹｅｓ）、ＣＰＵ３１７は、ＨＥＡＴＥＲ＿ＯＮ信号を出力し、トランジスタ３０８を動作させることで、定着ヒータ３１３を点灯する。（Ｓ５１２）
その後、定着部３０の温調制御を終了するか否かの判定を、ユーザによって指示された画像形成動作が終了しているか否かに基づいて行う。（Ｓ５１３）
ここで、全ての画像形成動作が終了しておらず、温調制御を終了しない場合（Ｓ５１３のＮｏ）は、Ｓ５０１に戻り、温調制御を継続し、画像形成動作が終了している場合は、定着部３０の温調制御を終了する。（Ｓ５１３のＹｅｓ）
以上のように、閾値電圧を検知するタイミングと、交流電源の波高値とに基づいて、閾値電圧が検知されてからゼロクロス点までの遅延時間を算出することができるため、ゼロクロス点をより精度良く検出することができる。これにより、定着ヒータ３１３の位相制御をより精度よく行うことができるため、定着部３０の温調制御を安定して行うことができる。
【００５６】
＜その他の実施形態＞
以上で説明した実施形態では、温調制御時にゼロクロス点までの遅延時間を算出する構成としたが、電源電圧や周波数の変動が少ない環境等であれば、ジョブのはじめにのみ遅延時間の算出を行ってもよく、遅延時間の算出を行うタイミングを都度変更してもよい。これによっても、精度良くゼロクロス点を検出することができ、安定した温調制御を行うことができる。また、遅延の度合いが異なるトリガ信号を発生させ、このトリガ信号によって負荷を駆動した際の検知電流値が予め定められた閾値以上となるタイミングをゼロクロス点と判定する方法よりもゼロクロス点の検出時間を短縮できる。
【符号の説明】
【００５７】
３０・・・定着部
３１・・・定着ローラ
３２・・・加圧ローラ
３０１・・・交流電源
３０２・・・波高値検知回路
３１３・・・定着ヒータ
３１６・・・制御基板
３１７・・・ＣＰＵ
３２０・・・閾値電圧検知回路
【図１】
2018151584.tif 000003
【図２】
2018151584.tif 000004
【図３】
2018151584.tif 000005
【図４】
2018151584.tif 000006
【図５】
2018151584.tif 000007